(57)【要約】【課題】  狭小領域を迂回する必要がない配管方法を提供すること。【解決手段】  狭小領域Ｋ１よりも上流側に位置する上流側広大領域Ｋ２に上流側の第１主パイプ１０１を配置するとともに、狭小領域Ｋ１よりも下流側に位置する下流側広大領域Ｋ３に下流側の第２主パイプ１０２を配置し、第１主パイプ１０１及び第２主パイプ１０２よりも小さい呼び径を有する複数の分割パイプ１０３を狭小領域Ｋ１に挿通させ、分岐継手１１を介して第１主パイプ１０１を複数の分割パイプ１０３に対して接続するとともに、合流継手１２を介して複数の分割パイプ１０３を第２主パイプ１０２に対して接続する。【選択図】  図１
2020085020.tif 000002
【特許請求の範囲】
【請求項１】
狭小領域よりも上流側に位置する上流側広大領域に第１主パイプを配置するとともに、前記狭小領域よりも下流側に位置する下流側広大領域に第２主パイプを配置し、前記第１主パイプの呼び径及び前記第２主パイプの呼び径よりも小さい呼び径を有する複数の分割パイプを前記狭小領域に挿通させ、分岐継手を介して前記第１主パイプを複数の前記分割パイプに対して接続するとともに、合流継手を介して複数の前記分割パイプを前記第２主パイプに対して接続する配管方法。
【請求項２】
上流側の第１主パイプが接続される主流路側パイプ接続部が複数の分割流路側パイプ接続部に分岐しかつ当該複数の分割流路側パイプ接続部の呼び径がそれぞれ当該主流路側パイプ接続部の呼び径よりも小さい分岐継手と、複数の分割流路側パイプ接続部が、下流側の第２主パイプが接続される主流路側パイプ接続部に合流しかつ当該複数の分割流路側パイプ接続部の呼び径が当該主流路側パイプ接続部の呼び径よりも小さい合流継手と、前記分岐継手と前記合流継手との間において対応する前記分割流路側パイプ接続部を接続する複数の分割パイプとを備えた配管部材。
【発明の詳細な説明】
【技術分野】
【０００１】
本発明は、狭小領域を介して配管を行う配管方法及び当該配管に用いられる配管部材に関する。
【背景技術】
【０００２】
非特許文献１の第４８頁には、給水給湯用の架橋ポリエチレン管が開示されている。当該架橋ポリエチレン管には、ＪＩＳ規格に準拠した「１０」、「１３」、「１６」、「２０」の各呼び径のものがラインナップされている。呼び径が「１６」の架橋ポリエチレン管及び呼び径が「２０」の架橋ポリエチレン管は、例えば一般家庭の給水給湯用配管では、主管として用いられることが多い。呼び径が「１０」の架橋ポリエチレン管及び呼び径が「１３」の架橋ポリエチレン管は、例えば一般家庭の給水給湯用配管では、主管と末端水栓とを接続する分岐管として用いられることが多い。
【先行技術文献】
【非特許文献】
【０００３】
【非特許文献１】株式会社オンダ製作所「総合カタログ２０１８−２０１９」、第４８頁
【発明の概要】
【発明が解決しようとする課題】
【０００４】
例えば、マンションの住宅の給水給湯用配管をリフォームするにおいて、床板とコンクリートスラブとの間つまり床下空間を、配管に利用したいという要望がある。当該床下空間には、床板とコンクリートスラブとの距離が２０ｍｍ程度の狭小領域が存在する場合も少なくない。この場合、呼び径が「１０」の架橋ポリエチレン管は外径が１２．８５ｍｍ〜１３．１５ｍｍであり、呼び径が「１３」の架橋ポリエチレン管は外径が１６．８５ｍｍ〜１７．１５ｍｍであるため、当該狭小領域を利用した配置には問題が生じ難い。
【０００５】
しかし、呼び径が「１６」の架橋ポリエチレン管は外径が２１．３５ｍｍ〜２１．６５ｍｍであり、呼び径が「２０」の架橋ポリエチレン管は外径が２６．８５ｍｍ〜２７．１５ｍｍであるため、当該狭小領域への配置は困難である。したがって、当該狭小領域を迂回する必要がある主管の取り回しに、大きな制約があった。
【０００６】
本発明の目的は、狭小領域を迂回する必要がない配管方法及び配管部材を提供すること。
【課題を解決するための手段】
【０００７】
前記目的を達成するために請求項１の配管方法は、狭小領域よりも上流側に位置する上流側広大領域に第１主パイプを配置するとともに、前記狭小領域よりも下流側に位置する下流側広大領域に第２主パイプを配置し、前記第１主パイプの呼び径及び前記第２主パイプの呼び径よりも小さい呼び径を有する複数の分割パイプを前記狭小領域に挿通させ、分岐継手を介して前記第１主パイプを複数の前記分割パイプに対して接続するとともに、合流継手を介して複数の前記分割パイプを前記第２主パイプに対して接続するものである。
【０００８】
前記目的を達成するために請求項２の配管部材は、上流側の第１主パイプが接続される主流路側パイプ接続部が複数の分割流路側パイプ接続部に分岐しかつ当該複数の分割流路側パイプ接続部の呼び径がそれぞれ当該主流路側パイプ接続部の呼び径よりも小さい分岐継手と、複数の分割流路側パイプ接続部が、下流側の第２主パイプが接続される主流路側パイプ接続部に合流しかつ当該複数の分割流路側パイプ接続部の呼び径が当該主流路側パイプ接続部の呼び径よりも小さい合流継手と、前記分岐継手と前記合流継手との間において対応する前記分割流路側パイプ接続部を接続する複数の分割パイプとを備えたものである。
【図面の簡単な説明】
【０００９】
【図１】床下空間における主管の平面図。
【図２】床下空間における狭小領域の横断面図。
【図３】別例を示す図であって床下空間における主管の平面図。
【発明を実施するための形態】
【００１０】
以下、本発明の配管方法及び配管部材を具体化した一実施形態について説明する。
図２に示すように、マンションの住宅には、床板２０１とコンクリートスラブ２０２との間に床下空間が存在する。当該床下空間には、床板２０１とコンクリートスラブ２０２との距離が２０ｍｍ程度の狭小領域Ｋ１が存在する。当該住宅における給水給湯用配管のリフォームは、当該床下空間を主管の配置に利用する。この場合、狭小領域Ｋ１を迂回すると主管が長くなる等の不都合があるため、以下のように狭小領域Ｋ１をも利用して主管が配置されている。
【００１１】
図１に示すように、前記床下空間において狭小領域Ｋ１よりも上流側（図１の上側）に位置する上流側広大領域Ｋ２には、第１主パイプ１０１が配置されている。床下において狭小領域Ｋ１よりも下流側（図１の下側）に位置する下流側広大領域Ｋ３には、第２主パイプ１０２が配置されている。第１主パイプ１０１及び第２主パイプ１０２は、それぞれＪＩＳ規格に準拠した架橋ポリエチレン管であって、例えば呼び径が「１６」又は「２０」であり、よって外径は２１．３５ｍｍ〜２１．６５ｍｍ又は２６．８５ｍｍ〜２７．１５ｍｍである。
【００１２】
複数（本実施形態においては３つ）の分割パイプ１０３は、それぞれＪＩＳ規格に準拠した架橋ポリエチレン管であって、第１主パイプ１０１の呼び径及び第２主パイプ１０２の呼び径よりも小さい呼び径を有する。例えば各分割パイプ１０３は呼び径が「１０」又は「１３」であり、よって外径は１２．８５ｍｍ〜１３．１５ｍｍ又は１６．８５ｍｍ〜１７．１５ｍｍである。複数の分割パイプ１０３は、相互に並行した状態で配置されているとともに、それぞれ上流側広大領域Ｋ２から狭小領域Ｋ１を経由して下流側広大領域Ｋ３へと到達されている。
【００１３】
複数の分割パイプ１０３を狭小領域Ｋ１へ挿通する作業は、１つずつ別個に行ってもよい。また、複数の分割パイプ１０３の先端を、図示しないテープや治具等を用いて仮に結合し、当該結合部分を狭小領域Ｋ１へと挿通させた後、当該結合を解除する法であってもよい。
【００１４】
上流側広大領域Ｋ２には分岐継手１１が配置されている。下流側広大領域Ｋ３には合流継手１２が配置されている。分岐継手１１は、第１主パイプ１０１を複数の分割パイプ１０３に対して接続する。合流継手１２は、複数の分割パイプ１０３を第２主パイプ１０２に対して接続する。
【００１５】
分岐継手１１は、１つの主流路側パイプ接続部２１が、複数（本実施形態においては３つ）の分割流路側パイプ接続部２２に分岐した形状をなしている。３つの分割流路側パイプ接続部２２は、等間隔で相互に並行して配置されている。主流路側パイプ接続部２１と、３つの分割流路側パイプ接続部２２のうち真ん中の分割流路側パイプ接続部２２とは、同一軸線上に配置されている。主流路側パイプ接続部２１及び各分割流路側パイプ接続部２２は、それぞれ周知のワンタッチタイプのロック・シール機構２１ａ、２２ａを内装する。
【００１６】
主流路側パイプ接続部２１の対応サイズは、第１主パイプ１０１に対応すべく、呼び径「１６」又は呼び径「２０」である。主流路側パイプ接続部２１には第１主パイプ１０１の一端部が挿入され、ロック・シール機構２１ａによって、抜け止め及び水密の確保がなされている。各分割流路側パイプ接続部２２の対応サイズは、分割パイプ１０３に対応すべく、呼び径「１０」又は呼び径「１３」である。各分割流路側パイプ接続部２２には対応する分割パイプ１０３の一端部が挿入され、ロック・シール機構２２ａによって、抜け止め及び水密の確保がなされている。
【００１７】
合流継手１２は分岐継手１１と同じものである。すなわち、合流継手１２は、複数（本実施形態においては３つ）の分割流路側パイプ接続部３１が、１つの主流路側パイプ接続部３２に合流する形状をなしている。３つの分割流路側パイプ接続部３１は、等間隔で相互に並行して配置されている。３つの分割流路側パイプ接続部３１のうち真ん中の分割流路側パイプ接続部３１と、主流路側パイプ接続部３２とは、同一軸線上に配置されている。主流路側パイプ接続部３２及び各分割流路側パイプ接続部３１は、それぞれ周知のワンタッチタイプのロック・シール機構３１ａ、３２ａを内装する。
【００１８】
各分割流路側パイプ接続部３１の対応サイズは、分割パイプ１０３に対応すべく、呼び径「１０」又は呼び径「１３」である。各分割流路側パイプ接続部３１には、対応する分割パイプ１０３の他端部が挿入され、ロック・シール機構３１ａによって、抜け止め及び水密の確保がなされている。主流路側パイプ接続部３２の対応サイズは、第２主パイプ１０２に対応すべく、呼び径「１６」又は呼び径「２０」である。主流路側パイプ接続部３２には第２主パイプ１０２の一端部が挿入され、ロック・シール機構３２ａによって、抜け止め及び水密の確保がなされている。
【００１９】
分岐継手１１及び合流継手１２は、複数の分割パイプ１０３を狭小領域Ｋ１に挿通した後で、当該複数の分割パイプ１０３に対して接続してもよい。また、分岐継手１１及び合流継手１２のうちの一方を複数の分割パイプ１０３に接続した状態で、当該複数の分割パイプ１０３を狭小領域Ｋ１へと挿通し、当該挿通の後、分岐継手１１及び合流継手１２のうちの他方をこの複数の分割パイプ１０３に接続してもよい。
【００２０】
本実施形態においては次のような効果を得られる。
（１）分岐継手１１は、第１主パイプ１０１を複数の分割パイプ１０３に分岐する。合流継手１２は、複数の分割パイプ１０３を第２主パイプ１０２に合流させる。したがって、各分割パイプ１０３の呼び径を、第１主パイプ１０１の呼び径及び第２主パイプ１０２の呼び径より小さくして狭小領域Ｋ１を有効利用しつつ、必要な流量（通過断面積）も確保できる。
【００２１】
（２）分岐継手１１及び合流継手１２は、複数の分割流路側パイプ接続部２２、３１のうちの１つが、主流路側パイプ接続部２１、３２と同一軸線上に配置されている。したがって、対応する分割流路側パイプ接続部２２、３１と主流路側パイプ接続部２１、３２との間での湯水の流れがスムーズとなり、分岐継手１１及び合流継手１２における圧力損失を低減できる。
【００２２】
＜別例＞
本発明は例えば次の態様でも実施が可能である。
○図３に示すように、分岐継手１１及び合流継手１２のそれぞれを、１つの主流路側パイプ接続部２１、３２と２つの分割流路側パイプ接続部２２、３１とで構成すること。
【００２３】
○分岐継手１１及び合流継手１２のそれぞれを、１つの主流路側パイプ接続部２１、３２と、４つ、５つ、６つ又は７つの分割流路側パイプ接続部２２、３１とで構成すること。
【００２４】
○分岐継手１１及び合流継手１２のそれぞれを、複数の主流路側パイプ接続部２１、３２と、主流路側パイプ接続部２１、３２よりも多い数の分割流路側パイプ接続部２２、３１とで構成すること。
【００２５】
○複数の分割パイプ１０３のうち、一部の分割パイプ１０３の呼び径と残りの分割パイプ１０３の呼び径とを異ならせること。例えば、複数の分割パイプ１０３のうち、一部の分割パイプ１０３を呼び径「１０」のものとし、残りの分割パイプ１０３を呼び径「１３」のものとすること。それに応じ、分岐継手１１及び合流継手１２のそれぞれにおいて、複数の分割流路側パイプ接続部２２、３１のうちの一部を、残りとは異なるサイズとすること。例えば、分岐継手１１及び合流継手１２のそれぞれにおいて、複数の分割流路側パイプ接続部２２、３１のうち、一部を呼び径「１０」の分割パイプ１０３に対応したサイズとし、残りを呼び径「１３」の分割パイプ１０３に対応したサイズとすること。
【００２６】
○狭小領域としては、床下空間に存在するもの以外にも、天井空間に存在するものや、壁内空間に存在するもの等が挙げられる。
【符号の説明】
【００２７】
１１…分岐継手、１２…合流継手、２１…主流路側パイプ接続部、２２…分割流路側パイプ接続部、３１…分割流路側パイプ接続部、３２…主流路側パイプ接続部、１０１…第１主パイプ、１０２…第２主パイプ、１０３…分割パイプ、Ｋ１…狭小領域、Ｋ２…上流側広大領域、Ｋ３…下流側広大領域。
【図１】
2020085020.tif 000003
【図２】
2020085020.tif 000004
【図３】
2020085020.tif 000005